(57)【要約】【課題】筐体のレイアウトに関係なく簡易に上向き投射を行えるプロジェクタを提供すること。【解決手段】画像投射用の光を出射する光源と、 該光源からの光を用いて画像を形成する画像形成素子と、 前記光源及び画像形成素子を内蔵する筐体と、 前記画像形成素子により形成された画像を前記筐体外部の画像投射面に向けて投射する前記筐体に設けられた画像投射手段と、 を備えたプロジェクタにおいて、 前記筐体後面にネジ穴が設けられたことを特徴とするプロジェクタ。【選択図】  図５
2018040995.tif 000002
【特許請求の範囲】
【請求項１】
画像投射用の光を出射する光源と、 
該光源からの光を用いて画像を形成する画像形成素子と、 
前記光源及び画像形成素子を内蔵する筐体と、 
前記画像形成素子により形成された画像を前記筐体外部の画像投射面に向けて投射する前記筐体に設けられた画像投射手段と、 
前記光源を冷却するための冷却手段と、
を備えたプロジェクタにおいて、 
前記筐体後面に雌ネジ部が設けられたことを特徴とするプロジェクタ。
【請求項２】
請求項１に記載のプロジェクタにおいて、 
前記筐体後面に設けられた雌ネジ部に非有効ネジ部付きの雄ネジ部材が噛み合うことで保持されることを特徴とするプロジェクタ。
【請求項３】
請求項１に記載のプロジェクタにおいて、 
前記筐体後面に設けられた雌ネジ部に非有効ネジ部付きの雄ネジ部材が噛み合うことで保持されることを特徴とするプロジェクタ。
【請求項４】
請求項１乃至３のいずれか一項に記載のプロジェクタにおいて、 
前記筐体後面に設けられたネジ穴にネジが噛み合ったことを検出する検出手段と、
ネジが噛み合ったことを検出した際に前記冷却手段の冷却条件を変更する制御手段を有することを特徴とするプロジェクタ。
【発明の詳細な説明】
【技術分野】
【０００１】
本発明は、プロジェクタに関し、天井への投射が簡易に出来るようにすることが出来るプロジェクタである。 
【背景技術】
【０００２】
従来、パソコンやビデオカメラ等からの画像信号を基に、ランプ、固体光源から出射される光を用いて画像形成素子により画像を形成して、その画像をスクリーンや壁面等に投射して表示させる画像表示プロジェクタがある。ところが、昨今、ショー等では、部屋の天井を画像投射面として利用し、部屋の天井に画像を投射して表示させることが考えられる。その際に、筐体を天井投射用の装置に装着することで、部屋の天井に画像を投射する方法が特許文献１で開示されている。
【先行技術文献】
【特許文献】
【０００３】
【特許文献１】特開２００５−１０３９１号公報
【発明の概要】
【発明が解決しようとする課題】
【０００４】
しかしながら、上述の特許文献１に開示された従来技術では、部屋の天井に画像を投射するために、天井投射用の装置を用意する必要があり、大がかりになってしまう。また、筐体のレイアウトによっては後面が排気側、インターフェース側が位置することもある。そのため、部屋の天井に向けての投射の際には、排気側とプロジェクタの接地面が近いと、排気を行えない。
【０００５】
一方、インターフェース側が近いと、インターフェースに挿入したケーブルを圧迫してしまうため、天井への投射を行うのが困難である。そこで、本発明では、筐体のレイアウトに関係なく簡易に天井への投射を行えるプロジェクタを提供することが課題である。
【課題を解決するための手段】
【０００６】
上記目的を達成するために、画像投射用の光を出射する光源と、 
該光源からの光を用いて画像を形成する画像形成素子と、 
前記光源及び画像形成素子を内蔵する筐体と、 
前記画像形成素子により形成された画像を前記筐体外部の画像投射面に向けて投射する前記筐体に設けられた画像投射手段と、 
を備えたプロジェクタにおいて、 
前記筐体後面にネジ穴が設けられたことを特徴とするプロジェクタ。
【発明の効果】
【０００７】
本発明によれば、筐体の後面がインターフェース端子搭載面あるいは排気口面であっても、インターフェース端子の圧迫、排気口塞ぎを回避し、天井への投射を容易に実現することができる。
【図面の簡単な説明】
【０００８】
【図１】本発明の第１の実施形態におけるプロジェクタの内部を示す図。
【図２】本発明の第１の実施形態におけるプロジェクタの外観を示す図。
【図３】本発明の第１の実施形態におけるセット脚の外観を示す図。
【図４】本発明の第１の実施形態におけるリアケースにセット脚が取り付いた状態の外観を示す図。
【図５】本発明の第２の実施形態におけるセット脚の外観を示す図。
【図６】本発明の第２の実施形態におけるリアケースにセット脚が取り付いた状態の外観を示す図。
【図７】本発明の第３の実施形態におけるリアケースへのセット脚の取り付きとランプの冷却ファンの設定の関係を示したフローチャート図。
【発明を実施するための形態】
【０００９】
以下に、本発明の好ましい実施の形態を、添付の図面に基づいて詳細に説明する。
【００１０】
［実施例１］
図１は本発明の第１の実施形態におけるプロジェクタの内部を示す図である。１は光源として利用されるランプである。２はランプ１および後述する防爆凸レンズ３を保持するランプホルダである。３はランプ１からの光を集光する機能を備えた防爆凸レンズである。４はランプ１およびランプホルダ２および防爆凸レンズ３によって構成されるランプユニットである。
【００１１】
αはランプ１からの光を入射する照明光学系である。βは照明光学系からの出射光を入射するＲ・Ｇ・Ｂの３色用の液晶パネルを備えた色分離合成光学系である。５は色分離合成光学系βからの出射光を入射して図示せぬスクリーン（被投射面）に画像を投射する投射レンズユニットであり、投射レンズユニット５内には後述する投射レンズ光学系を収納している。６はランプユニット４、照明光学系α、色分離合成光学系βを収納するとともに投射レンズユニット５が固定される光学ボックスである。
【００１２】
７は電源であり、筺体内に電源が供給される。８はバラストであり、ランプ１を点灯するための点灯電源装置である。バラスト８は電源７およびランプ１と電気的に接続される。
【００１３】
９は後述する外装上ケース１７に設けられた吸気口１７ａから外気を吸入した空気の排気にて色分離合成系βの光学素子を冷却する光学冷却ファンＡである。１０は後述する外装上ケース１７に設けられた吸気口１７ａから外気を吸入した空気の排気にて色分離合成系βの光学素子を冷却する光学冷却ファンＢである。１１は光学冷却ファンＡ９と光学冷却ファンＢ１０を保持および後述する吸気口１７ａから外気を吸入し、光学冷却ファンＡ９と光学冷却ファンＢ１０の吸気口に導風する光学冷却ファン吸気ダクトである。
【００１４】
１３は排気ファンであり、排気ファン１３の吸気する空気によって電源８、バラスト９を冷却し、排気によってランプ１およびその周辺を冷却し後述する排気口１７ｂより筐体外へ排熱する。１４は排気ファン１３を保持する排気ファンホルダである。
【００１５】
１５はランプ冷却ファンであり、ランプ冷却ファン１５は色分離合成系βの光学素子を冷却した空気を吸気し、排気によってランプ１を冷却する。１６はランプ冷却ファン１５から排気された空気を導風するランプ冷却ダクトである。１７は外装上ケースであり、筐体内に外気を取り込む前面吸気口１７ａと側面吸気口１７ｂを備える。１８はリアケースであり、筐体外に排熱するための排気口１８ａを備える。
【００１６】
１９は吸気口１７ａに近接して取り付き筐体内へ外気を吸入する際に筐体内に塵埃が入ることを抑制するエアフィルタである。２０は画像・制御等の各種信号を取り込むコネクタ（インターフェース）が搭載され、前述した電源７からの電力により液晶パネルの駆動、及びランプ１への点灯指令、複数のファンへの駆動指令を送ることを主とする駆動・制御基板ユニットである。この駆動・制御基板ユニット２０は色分離合成光学系βに配置される液晶パネルから出るＦＰＣが接続される。
【００１７】
２１は後述するセット脚２３が後述するリアケース１８の雌ネジ部１８ｂに取り付いたことを検出する検出部材である。
【００１８】
図２は本発明の第1の実施形態におけるプロジェクタの外観を示す図である。２２はプロジェクタ筐体の一部となる外装下ケースである。外装上ケース１７およびリアケース１８と外装下ケース２２が組み合わされることで、内部が保護される構造となっている。２３は筐体を保持するためのセット脚である。１８ｂはリアケース１８に設けられている雌ネジ部である。セット脚２３は筐体から着脱可能な構成となっている。
【００１９】
図３は本発明の第１の実施形態におけるセット脚の外観を示す図である。２３ａはセット脚を回動させる際にユーザーが握るためのダイヤルである。２３ｂは回動させるための雄ネジ部となっている。
【００２０】
図４は本発明の第１の実施形態におけるリアケースにセット脚が取り付いた状態の外観を示す図である。リアケース１８に設けられた雌ネジ部１８ｂにセット脚２３の一部である雄ネジ部２３ｂが噛み合った状態で保持されている。この雄ネジ部２３ｂを調節することにより、吸気口１８ａとダイヤル２３ａが設置される面との距離を確保することが出来る。
【００２１】
これにより、排気面１８ａとダイヤル２３ａの接地面が接近して、排気口を塞ぐことを回避した上で、天井への投射を行うことが出来る。
【００２２】
［実施例２］
以下、図５により本発明の第２の実施形態について説明していく。図５は本発明の第２の実施形態におけるセット脚の外観を示す図である。３１ａは、セット脚を回動させる際にユーザーが握るためのダイヤルである。３１ｂは、回動させるための雄ネジ部となっている。３１ｃは、３１ｂよりも大きい径となっている非有効ネジ部である。
【００２３】
図６は本発明の第２の実施形態におけるリアケースにセット脚が取り付いた状態の外観を示す図である。リアケース１８に設けられた雌ネジ部１８ｂにセット脚２３の一部である雄ネジ部２３ｂが噛み合った状態で保持されている。
【００２４】
これにより、雄ネジ部２３ｂを回しすぎても、非有効ネジ部２３ｃがリアケース１８に突き当たるため、排気面１８ａとダイヤル２３ａの接地面が接近して、排気口を塞ぐことを確実に回避した上で、天井への投射を行うことが出来る。
【００２５】
［実施例３］
以下、図７より本発明の第３の実施形態について説明していく。図７は本発明の第３の実施形態におけるリアケースへのセット脚の取り付きとランプの冷却ファンの関係を示したフローチャート図である。処理当初には、検出部材２１がリアケース１８に対してセット脚２３が取り付けられたか否かを検出する（ステップＳ０１）。
【００２６】
ステップＳ０１において、セット脚２３がリアケース１８に取り付けられていないなら、据え置き状態で使用されていると制御基板ユニット２０は判断し、排気ファン１３は据え置き状態の冷却条件に設定される（ステップＳ０２）。
【００２７】
一方、ステップＳ０１において、セット脚２３がリアケース１８に取り付けられているなら、上向き投射状態で使用されていると制御基板ユニット２０は判断し、排気ファン１３は上向き投射状態の冷却条件に設定される（ステップＳ０３）。最後に、排気ファン１３は、設定された冷却条件で、ランプを冷却する（ステップＳ０４）。これにより、天井への投射時にもランプを効率よく冷却することが出来るため、ランプの寿命短縮を防止することが出来る。
【００２８】
以上、本発明の好ましい実施形態について説明したが、本発明はこれらの実施形態に限定されず、その要旨の範囲内で種々の変形及び変更が可能である。
【符号の説明】
【００２９】
５  投射レンズ
１７  外装上ケース
１８  リアケース
２２  外装下ケース
２２ａ  雌ネジ部
２３  セット脚
【図１】
2018040995.tif 000003
【図２】
2018040995.tif 000004
【図３】
2018040995.tif 000005
【図４】
2018040995.tif 000006
【図５】
2018040995.tif 000007
【図６】
2018040995.tif 000008
【図７】
2018040995.tif 000009